(57)【要約】【課題】構成部材と電装部材とを電気的に接続する配線間の干渉による不具合の発生を防止し、装置の複雑化や、作業の容易化や作業時間の短縮等、作業性を高めることが可能な画像形成装置を提供する。【解決手段】画像形成装置１００において、背面側板２１には、作像駆動ユニット２３ｂ〜２３ｄと配線２７ｂにより電気的に接続された第１接続部７６ａを有する第１固定用部材７６が設けられ、第１電装箱５１には、高圧基板２５ｂ〜２５ｄ、電源基板３１ａと配線２７ｂにより電気的に接続された第２接続部９１ａを有する電装箱固定部材８７が設けられている。電装箱固定部材８７を下方に摺動させることにより、第１接続部７６ａと第２接続部９１ａとが連結され、背面側板２１と第１電装箱５１とが固定されると共に第１接続部７６ａと第２接続部９１ａとが電気的に接続される。【選択図】図８
2009139514.tif 000002
【特許請求の範囲】
【請求項１】
構成部材が作動することにより画像形成を行う画像形成装置において、
前記構成部材が配設された構成部材支持部材と、
前記構成部材と電気的に接続される電装基板と、
前記電装基板が配設された電装基板支持部材と、
前記構成部材支持部材に配設され、前記構成部材と電気的に接続された第１固定手段と、
前記電装基板支持部材に配設され、前記電装基板と電気的に接続されており、前記第１固定手段と連結可能な第２固定手段と、
が設けられ、
前記第１及び第２固定手段の一方は、前記構成部材支持部材若しくは前記電装基板支持部材に、他方に対して連結する位置と連結解除する位置とに移動可能に支持されており、前記第１及び第２固定手段が連結されることにより、前記構成部材支持部材と前記電装基板支持部材とが固定されると共に、前記第１固定手段と前記第２固定手段とが電気的に接続されることを特徴とする画像形成装置。
【請求項２】
前記電装基板支持部材の一端が装置本体に開閉可能に軸支されており、
前記第１及び第２固定手段は、前記電装基板支持部材の開閉をロック及びロック解除する開閉ロック機構として機能することを特徴とする請求項１に記載の画像形成装置。
【請求項３】
前記第２固定手段が、前記電装基板支持部材に、前記第１固定手段に対して連結する位置と連結解除する位置とに摺動可能に支持されたことを特徴とする請求項１または２に記載の画像形成装置。
【請求項４】
前記第２固定手段には、該第２固定手段が前記第１固定手段と連結したとき前記構成部材支持部材に設けられた第１係合部と係合可能な第２係合部が設けられたことを特徴とする請求項１〜３のいずれかに記載の画像形成装置。
【請求項５】
前記第２固定手段には、該固定手段を移動させる取手部が設けられたことを特徴とする請求項１〜４のいずれかに記載の画像形成装置。
【請求項６】
前記電装基板支持部材を覆うものであり、一端が装置本体に開閉可能に軸支されたカバー部材が設けられ、
前記第２固定手段及び前記カバー部材に、該カバー部材の開閉をロックするカバー部材開閉ロック機構が設けられたことを特徴とする請求項１〜５のいずれかに記載の画像形成装置。
【請求項７】
前記構成部材は、画像形成部であることを特徴とする請求項１〜６のいずれかに記載の画像形成装置。
【発明の詳細な説明】
【技術分野】
【０００１】
本発明は、デジタル複写機、レーザプリンタ等の電子写真法を用いた画像形成装置に関し、特に、装置本体の作像駆動ユニットや電装基板の装着方法に関する。
【背景技術】
【０００２】
電子写真法を用いたカラー画像形成装置においては、例えば、画像形成装置本体内に異なる４色（シアン、マゼンタ、イエロー及び黒色）の画像に対応して、４つの画像形成部が配設されている。これらの画像形成部に設けられた各感光体上に、それぞれ帯電、露光、現像の各工程によりシアン、マゼンタ、イエロー及び黒色のトナー像が順次形成され、中間転写ベルト又は搬送ベルトが各感光体と接触することにより、感光体表面上に形成されたトナー像が順次転写される。
【０００３】
各トナー像は、中間転写ベルト上に一次転写された後、搬送された用紙上に二次転写され、若しくは搬送ベルト上を搬送された用紙に直接転写された後、定着工程により永久像とされる。
【０００４】
このような画像形成装置、特に高速機や大型機においては、図１１に示すように、画像形成装置１００の前面側板２０と背面側板２１の間に画像形成部Ｐａ〜Ｐｄが配設されており、背面側板２１における画像形成部Ｐａ〜Ｐｄと反対側面には、背面側板２１を挟んで画像形成部Ｐａ〜Ｐｄの各端部に接続し、これらを駆動するための作像駆動ユニット２３ａ、２３ｂ、２３ｃ及び２３ｄが配設され、作像駆動ユニット２３ａ〜２３ｄの更に背面側には、作像駆動ユニット２３ａ〜２３ｄに駆動電力を供給する高圧基板２５ａ、２５ｂ、２５ｃ、及び２５ｄが配設されている。
【０００５】
また、高圧基板２５ａ〜２５ｄの更に背面側には、画像形成に必要な種々の電気回路を有する電装基板３１が複数（ここでは電源基板３１ａ、制御基板３１ｂ）備えられ、背面側に開口部を有する平たい箱状部材から成る電装箱３３が、背面側板２１の左側側面部を片側支点として開閉可能に配設されている。背面側板２１の左側側面部の上下方向に沿って、第１ヒンジ部３４が２箇所内側に突設され、電装箱３３の左側側面部には、第１ヒンジ部３４と連結される第２ヒンジ部３５が外側に突設されている。
【０００６】
また、図１２に示すように、第１ヒンジ部３４には、ピン３４ａが２つ垂直方向に沿って上方に突設され、第２ヒンジ部３５には、ピン３４ａと係合可能な係合孔３５ａが設けられており、係合孔３５ａがピン３４ａと係合することにより、第１ヒンジ部３４と第２ヒンジ部３５とが連結され、図１３に示すように電装箱３３が開閉可能となっている。
【０００７】
図１４には、図１１を左側から見た側面図を示し、図１５には、図１４に示された各部材の配設順序を示し、図１６には配線２７ｂの配設状態を示し、図１７には図１６を上から見た図を示すが、図１４に示すように、背面側板２１から装置本体背面側（図の右側）に向かって、高圧基板２５ａ〜２５ｄ、電装箱３３の順に配設され、これらは図１５の矢印に示すように、高圧基板２５ａ〜２５ｄ、電装箱３３の順に取り付けられるようになっている。
【０００８】
また、図１５に示すように、高圧基板２５ａ〜２５ｄには、コネクタ２７ａや配線２７ｂ（太線）が配設されており、コネクタ２７ａは作像駆動ユニット２３〜２３ｄに接続され、図１６及び図１７に示すように、配線２７ｂは電装箱３３の側面に設けられた窓部２８を通って電源用基板３１ａや制御基板３１ｂと接続されるようになっている。また、電源用基板３１ａは、電源コンセント２９（図１１参照）に接続されている。
【０００９】
そして、出荷後における定期点検や修理等において作像駆動ユニット２３ａ〜２３ｄ等の構成部品の確認や交換をする際には、まず電装箱３３を開け、次に高圧基板２５ａ〜２５ｄに接続しているコネクタ２７ａや配線２７ｂ等の接続部材２７を取り外し、その後、さらに高圧基板２５ａ〜２５ｄを取り外した後、作像駆動ユニット２３ａ〜２３ｄにアクセス可能となる。
【００１０】
このように、作像駆動ユニット２３ａ〜２３ｄにアクセスするためには、背面側に配置された電装箱３３から順次開放若しくは取り外し、しかもこの際、配線２７ｂを取り外す必要があり、作業が煩雑になって作業時間も長くなる、或いは取り外したコネクタや配線を再び取り付ける際に、誤って接続すると装置本体の破損につながるおそれもある。
【００１１】
そこで、このような構成部材へのアクセスを容易にするための方法が提案されている。例えば、特許文献１には、装置本体に装着する本体電装基板及びオプション用電装基板のすべてを、装置本体とは別体で該装置本体に装着する一つの金属製の筐体に収容し、該金属製の筐体にパソコンと同等機能を有するオプション装置を備えた画像形成装置とすることにより、筐体内の電装基板に容易にアクセスし、電装基板のメンテナンス性を向上させる方法が開示されている。
【特許文献１】特開２００４−２４９６３３号公報
【発明の開示】
【発明が解決しようとする課題】
【００１２】
しかし、特許文献１の方法では、筐体の開閉ロックは固定ネジで行っており、筐体を開けた後、装置本体内部の構成部材との接続を外す必要がある。このため、作業が煩雑になって作業時間も長くなる、或いは取り外したコネクタや配線を再び取り付ける際に、誤って接続すると、装置本体の破損につながるおそれもある。
【００１３】
また、装置本体内部の構成部材と電装基板とを配線で接続している場合には、複数の配線間の干渉による誤動作や、電磁ノイズの発生が生じるおそれがある。また、断線が生じるおそれもあり、断線を回避するための部材構成や配置構成が必要となり、装置が複雑になり、コストアップにつながるおそれもある。さらに、定期又は不定期に行うメンテナンス等において、上記のような作業性の低下や誤接続や配線不良が生じるおそれもある。
【００１４】
本発明は、上記問題点に鑑み、構成部材と電装部材とを電気的に接続する配線間の干渉による不具合の発生を防止し、装置の複雑化や、作業の容易化や作業時間の短縮等、作業性を高めることが可能な画像形成装置を提供することを目的とする。
【課題を解決するための手段】
【００１５】
上記目的を達成するために本発明は、構成部材が作動することにより画像形成を行う画像形成装置において、前記構成部材が配設された構成部材支持部材と、前記構成部材と電気的に接続される電装基板と、前記電装基板が配設された電装基板支持部材と、前記構成部材支持部材に配設され、前記構成部材と電気的に接続された第１固定手段と、前記電装基板支持部材に配設され、前記電装基板と電気的に接続されており、前記第１固定手段と連結可能な第２固定手段と、が設けられ、前記第１及び第２固定手段の一方は、前記構成部材支持部材若しくは前記電装基板支持部材に、他方に対して連結する位置と連結解除する位置とに移動可能に支持されており、前記第１及び第２固定手段が連結されることにより、前記構成部材支持部材と前記電装基板支持部材とが固定されると共に、前記第１固定手段と前記第２固定手段とが電気的に接続されることを特徴としている。
【００１６】
また、本発明は、前記電装基板支持部材の一端が装置本体に開閉可能に軸支されており、前記第１及び第２固定手段は、前記電装基板支持部材の開閉をロック及びロック解除する開閉ロック機構として機能することを特徴としている。
【００１７】
また、本発明は、前記第２固定手段が、前記電装基板支持部材に、前記第１固定手段に対して連結する位置と連結解除する位置とに摺動可能に支持されたことを特徴としている。
【００１８】
また、本発明は、前記第２固定手段には、該第２固定手段が前記第１固定手段と連結したとき前記構成部材支持部材に設けられた第１係合部と係合可能な第２係合部が設けられたことを特徴としている。
【００１９】
また、本発明は、前前記第２固定手段には、該固定手段を移動させる取手部が設けられたことを特徴としている。
【００２０】
また、本発明は、前記電装基板支持部材を覆うものであり、一端が装置本体に開閉可能に軸支されたカバー部材が設けられ、前記第２固定手段及び前記カバー部材に、該カバー部材の開閉をロックするカバー部材開閉ロック機構が設けられたことを特徴としている。
【００２１】
また、本発明は、前記構成部材は、画像形成部であることを特徴としている。
【発明の効果】
【００２２】
本発明の第１の構成によれば、構成部材が作動することにより画像形成を行う画像形成装置において、構成部材支持部材に、構成部材と電気的に接続された第１固定手段を設け、構成部材と電気的に接続される電装基板が配設された電装基板支持部材に、電装基板と電気的に接続されており、第１固定手段と連結可能な第２固定手段を設け、第１及び第２固定手段の一方を移動可能に上記支持部材に支持することとし、第１及び第２連結部材を上記支持部材とは別途移動させて連結することにより、構成部材支持部材と電装基板支持部材とを固定すると共に、第１接続部と第２接続部とを電気的に接続することとした。
【００２３】
これにより、第１固定手段と第２固定手段とを連結するだけで、構成部材と電装基板支持部材とを固定すると共に、構成部材と電装基板とを電気的に接続することができる。従って、構成部材と電装部材とを電気的に接続する配線を短くすると共に配線間の干渉を防止し、かかる干渉による不具合を防止することができる。また、配線の配置や接続の複雑化を回避できるため、装置の複雑化を防止すると共に、作業の容易化や作業時間の短縮等、作業性を高めることができる。
【００２４】
また、本発明の第２の構成によれば、上記第１の構成の画像形成装置において、電装基板支持部材の一端を装置本体に開閉可能に軸支し、第１及び第２固定手段が、電装基板支持部材の開閉をロック及びロック解除する開閉ロック機構として機能することとした。これにより、第１固定手段と第２固定手段との連結及び連結解除を行うだけで、上記電気的な接続及び取り外しと、電装基板支持部材の開閉ロック及びロック解除と、が可能となる。
【００２５】
従って、電装基板支持部材の開閉をロックしなければ、構成部材と電装基板が電気的に接続されず、両者が電気的に接続されたまま電装基板支持部材が開放することを防止することができる。また、電気的接続が解除されなければ電装基板支持部材を開けることができないため、より安全となる。
【００２６】
また、本発明の第３の構成によれば、上記第１または第２の構成の画像形成装置において、第２固定手段を、電装基板支持部材に、第１固定手段と連結及び連結解除される位置に摺動可能に支持することにより、第２固定手段を摺動させるだけで構成部材と電装基板との電気的な接続が可能になるため、簡単な構成で簡便に第１固定手段と第２固定手段とを連結することができる。
【００２７】
また、本発明の第４の構成によれば、上記第１〜第３のいずれかの構成の画像形成装置において、第２固定手段に、前記構成部材支持部材に設けられた第１係合部と係合する第２係合部を設けることにより、連結された第１及び第２固定手段のガタツキを防止し、より確実に安定して第１固定手段と第２固定手段とを連結することができる。
【００２８】
また、本発明の第５の構成によれば、上記第１〜第４のいずれかの構成の画像形成装置において、第２固定手段に取手部を設けることにより、容易に第２固定手段を移動させることができる。
【００２９】
また、本発明の第６の構成によれば、上記第１〜第５のいずれかの構成の画像形成装置において、電装基板支持部材を覆うものであり、一端が装置本体に開閉可能に軸支されたカバー部材を設け、第２固定手段及びカバー部材に、第２固定手段が第１固定手段に連結されたときカバー部材の開閉をロックするカバー部材開閉ロック機構を設けることとした。これにより、構成部材と電装基板とが確実に電気的接続された後にのみ電装基板支持部材をカバーすることができるため、接続不良による誤作動を防止することができる。
【００３０】
また、本発明の第７の構成によれば、上記第１〜６の構成の画像形成装置において、構成部材を画像形成部とすることにより、より誤作動や不具合を防止した画像形成を行うことができる。
【発明を実施するための最良の形態】
【００３１】
以下に本発明の実施形態を図面を参照して説明する。図１は、本発明の一例の画像形成装置を示す概略図である。画像形成装置１００本体内には４つの画像形成部Ｐａ、Ｐｂ、Ｐｃ及びＰｄが、搬送方向上流側（図１では右側）から順に配設されている。これらの画像形成部Ｐａ〜Ｐｄは、異なる４色（マゼンタ、シアン、イエロー及び黒色）の画像に対応して設けられており、それぞれ帯電、露光、現像及び転写の各工程によりマゼンタ、シアン、イエロー及び黒色の画像を順次形成する。
【００３２】
この画像形成部Ｐａ〜Ｐｄには、各色の可視像（トナー像）を担持する感光体ドラム１ａ、１ｂ、１ｃ及び１ｄが配設されており、これらの感光体ドラム１ａ〜１ｄ上に形成されたトナー像が、駆動手段（図示せず）により図１において反時計回り（矢印方向）に回転しながら各画像形成部に隣接して移動する搬送ベルト５０によって搬送された用紙Ｐ上に順次転写され、さらに、定着部７において用紙Ｐ上に定着された後、装置本体より排出される構成となっている。感光体ドラム１ａ〜１ｄを図１において時計回りに回転させながら、各感光体ドラム１ａ〜１ｄに対する画像形成プロセスが実行される。
【００３３】
トナー像が転写される用紙Ｐは、装置下部の用紙カセット１６内に収容されており、給紙ローラ１２ａ、給紙ローラ対１２ｂ、１２ｃ及びレジストローラ対１２ｄを介して各画像形成部Ｐａ〜Ｐｄへと搬送される。搬送ベルト５０には誘電体樹脂製のシートが用いられ、そのフランジ部を互いに重ね合わせて接合しエンドレス形状にしたベルトや、継ぎ目を有しない（シームレス）ベルトが用いられる。また、従動ローラ１０の上流側には搬送ベルト５０に付着したトナーを除去するためのクリーニングブレード１９が配置されている。
【００３４】
次に、画像形成部Ｐａ〜Ｐｄについて説明する。回転自在に配設された感光体ドラム１ａ〜１ｄの周囲及び上方には、感光体ドラム１ａ〜１ｄを帯電させる帯電器２ａ、２ｂ、２ｃ及び２ｄと、各感光体ドラム１ａ〜１ｄに画像情報を個別に露光するＬＥＤヘッド４ａ〜４ｄと、感光体ドラム１ａ〜１ｄ上にトナー像を形成する現像ユニット３ａ、３ｂ、３ｃ及び３ｄと、感光体ドラム１ａ〜１ｄ上に残留した現像剤（トナー）を除去するクリーニング部５ａ、５ｂ、５ｃ及び５ｄが設けられている。
【００３５】
ユーザにより画像形成開始が入力されると、先ず、帯電器２ａ〜２ｄによって感光体ドラム１ａ〜１ｄの表面を一様に帯電させ、次いでＬＥＤヘッド４ａ〜４ｄによって光照射し、各感光体ドラム１ａ〜１ｄ上に画像信号に応じた静電潜像を形成する。現像ユニット３ａ〜３ｄは、感光体ドラム１ａ〜１ｄに対向配置された現像ローラ（現像剤担持体）を備え、それぞれマゼンタ、シアン、イエロー及び黒色の各色のトナーが補給装置（図示せず）によって所定量充填されている。このトナーは、現像ユニット３ａ〜３ｄの現像ローラにより感光体ドラム１ａ〜１ｄ上に供給され、静電的に付着することにより、ＬＥＤヘッド４ａ〜４ｄからの露光により形成された静電潜像に応じたトナー像が形成される。
【００３６】
そして、搬送ベルト５０に所定の転写電圧で電界が付与された後、転写ローラ６ａ〜６ｄにより感光体ドラム１ａ〜１ｄ上のマゼンタ、シアン、イエロー、及び黒色のトナー像が搬送ベルト５０に搬送された用紙Ｐ上に転写される。これらの４色の画像は、所定のフルカラー画像形成のために予め定められた所定の位置関係をもって形成される。その後、引き続き行われる新たな静電潜像の形成に備え、感光体ドラム１ａ〜１ｄの表面に残留したトナーがクリーニング部５ａ〜５ｄにより除去される。
【００３７】
搬送ベルト５０は、従動ローラ１０及び駆動ローラ１１に掛け渡されており、駆動モータ（図示せず）による駆動ローラ１１の回転に伴い搬送ベルト５０が反時計回りに回転を開始すると、用紙Ｐがレジストローラ対１２ｄから所定のタイミングで画像形成部Ｐａ〜Ｐｄへ搬送され、各画像形成部において搬送ベルトとのニップ部において用紙Ｐ上に順次画像が転写され、フルカラー画像が形成される。トナー像が転写された用紙Ｐは定着部７へと搬送される。
【００３８】
定着部７に搬送された用紙Ｐは、定着ローラ対１３のニップ部（定着ニップ部）を通過する際に加熱及び加圧されてトナー像が用紙Ｐの表面に定着され、所定のフルカラー画像が形成される。フルカラー画像が形成された用紙Ｐは、排出ローラ１５によって排出トレイ１７に排出される。
【００３９】
図２は、本実施形態の画像形成装置に用いられる電装箱を示す装置本体背面側から見た斜視図であり、図３は、図２において背面側板及び電装箱の配線の接続状態を示した平面図であり、図４は、図２において配線の表示を省略した図である。また、図５（ａ）は、第１電装箱と第２電装箱との係合部分を示す部分平面図であり、図５（ｂ）は、図５（ａ）の左側から見た部分側面図である。図１、図１１〜図１６と共通する部分には共通する符号を付して説明を省略する。
【００４０】
図２及び図３に示すように、電装箱５０（電装基板支持部材）は、装置本体背面側（図の表面側）に開口する平たい矩形箱状からなり、上側に配置された第１電装箱５１と下側に配置された第２電装箱５２とから構成されている。第１電装箱５１の底面部５１ａには、高圧基板２５ａ〜２５ｄが配設されており、第２電装箱５２の底面部５２ａには、電源基板３１ａ、制御基板３１ｂが配設されており、電源基板３１ａには電源コンセント２９が接続されている。
【００４１】
また、第１電装箱５１の右上には、背面側板２１に設けられた第１固定用部材（第１固定手段）７６と連結可能な電装箱固定部材（第２固定手段）８７が設けられている。なお、第１固定用部材７６、電装箱固定部材８７、作像ユニット２３ａ〜２３ｄ、高圧基板２５ａ〜２５ｄ、電源基板３１ａ及び制御基板３１ｂ間の配線２７ｂの接続に関しては後述する。
【００４２】
第１電装箱５１の上側側面部５１ｂは、背面側板２１の上側側面部２１ａから所定間隔だけ隔ててこれと略平行に配置されており、上側側面部５１ｂの左側には、係合突起５５が上方に突設されている。係合突起５５は、後述する背面側板２１に設けられた係合溝６１と係合可能な位置及び長さに形成されている。
【００４３】
また、図４及び図５に示すように、第１電装箱５１の下側側面部５１ｄの左右には、それぞれ底面部５１ａと垂直方向に沿って底面部５１ａと略同じ位置を一方の端部５７ａとし、反対側の端部５７ｂが第１電装箱５１の開口端より背面側（図５（ｂ）の右側）に突出するよう摺動部材５７が配設されている。摺動部材５７は、図５（ａ）に示すように、断面略コの字状、且つコの字の両端が内側に折り曲げられおり、後述するガイド部材５９と係合し、摺動可能となっている。
【００４４】
一方、第２電装箱５２の左側側面部５２ｃには、背面側板２１の第１ヒンジ部３４のピン３４ａと係合可能な係合孔３５ａを有する第２ヒンジ部３５が配設されている。また、第２電装箱５２の上側側面部５２ｂの上面には、第１電装箱５１の摺動部材５７と係合し、これを摺動可能に支持可能な、断面略Ｔ字状のガイド部材５９が配設されている（図４、図５（ａ）参照）。ガイド部材５９は、第２電装箱５２の底面部５２ａと垂直方向に沿って背面側板２１側の端部５９ａが底面部５２ａより背面側板２１側（図５（ｂ）の左側）に突出しており、反対側の端部５９ｂが第２電装箱５２の開口端と略同じ位置となるよう配設されている。
【００４５】
また、ガイド部材５９は、後述する図６及び図７に示すように、摺動部材５７がガイド部材５９の端部５９ａ側に摺動したときには後述する電装箱固定部材８７の第２固定用部材９１が背面側板２１の第１固定用部材７６と対向し連結可能な位置に配置され、端部５９ｂ側に摺動したときには第２固定用部材９１が第１固定用部材７６と対向せず連結できない位置に配置されるよう形成されている。この際、上記のように、ガイド部材５９の端部５９ａが第２電装箱５２から突出していることにより、背面側板２１と第２電装箱５２との間隔が広い場合でも、第１電装箱５１を第２固定用部材９１が第１固定用部材７６と対向し連結可能な位置までガイドすることができる。
【００４６】
また、摺動部材５７の端部５７ｂが第１電装箱５１から突出していることにより、第１電装箱５１の底面部５１ａから開口端までの長さが、第２電装箱５２の底面部５２ａから開口端までの長さより短い場合であっても、摺動部材５７とガイド部材５９との接触面積を大きくし、摺動及び係合を安定なものとすることができる。このように摺動部材５７がガイド部材５９に摺動可能に支持されることにより、第２電装箱５２に伴って第１電装箱５１を開閉することが可能となっている。
【００４７】
また、図４に示すように、背面側板２１の上側側面部２１ａの第１ヒンジ部３４側には、開口端側から第１電装箱５１の摺動方向に沿って切り欠かれた係合溝６１が形成されている。係合溝６１は、第１電装箱５１の摺動部材５７がガイド部材５９の端部５９ａ側に摺動したとき、係合突起５５が嵌め込まれ（図６参照）、端部５９ｂ側に摺動したとき、係合突起５５が係合溝６１から離脱する（図７参照）ように形成されている。
【００４８】
また、図４に示すように、第１電装箱５１の上側側面部５１ｂには、電装箱固定部材８７が配設されており、後述するように、第１電装箱５１と背面側板２１とを固定すると共に、電装箱固定部材８７の第２接続部９１ａを第１固定用部材７６の第１接続部７６ａと電気的に接続することができる（図８参照）。
【００４９】
次に、本発明の電装箱５０の開閉動作について図６、図７に基づき説明する。図６（ａ）は、第１電装箱と背面側板とが係合されている状態を示す部分側面図であり、図６（ｂ）は、図６（ａ）を上方から見た平面図である。また、図７（ａ）は、第１電装箱と背面側板との係合が解除された状態を示す部分側面図であり、図７（ｂ）は、図７（ａ）を上方から見た平面図である。図１〜図５と共通する部分には共通する符号を付して説明を省略する。なお、図６及び図７では、配線２７ｂの表示を省略した。
【００５０】
まず、電装箱５０を開ける動作について説明する。電装箱固定部材８７と背面側板２１との固定は解除されているものとする。図６（ａ）及び図６（ｂ）に示すように、電装箱５０を閉じた状態では、第１電装箱５１の摺動部材５７が第２電装箱５２のガイド部材５９の端部５９ａ側（第１の位置、図の左側）に配置しており、係合突起５５と係合溝６１とが係合し、電装箱５０の開閉がロックされている。また、上記の通り、電装箱固定部材８７の第２固定用部材９１が背面側板２１の第１固定用部材７６と連結可能な位置に配置されている。
【００５１】
この状態から、第１電装箱５１の内側面を掴んで図の白抜き矢印方向に引っ張ると、摺動部材５７が第２電装箱５２のガイド部材５９の端部５９ａから端部５９ｂ側（第２の位置）へ摺動し、電装箱固定部材８７の第２固定用部材９１が背面側板２１の第１固定用部材と連結できない位置に配置させると共に、第１電装箱５１の係合突起５５を背面側板２１の係合溝６１から脱離させることができる。
【００５２】
これにより、図７（ａ）及び図７（ｂ）に示すように、第１電装箱５１と背面側板２１との係合が解除される。そして、第１電装箱５１若しくは第２電装箱５２を装置背面側に回動させると互いに連れ回り、第１電装箱５１及び第２電装箱５２を開く（ロック解除する）ことができる。
【００５３】
次に、電装箱５０を閉じる動作について説明する。上記のようにして第１電装箱５１及び第２電装箱５２を開けた状態から、第１電装箱５１及び第２電装箱５２を背面側板２１側へ回動すると（図７（ａ）及び図７（ｂ）参照）、第１電装箱５１の係合突起５５が背面側板２１の係合溝６１の開口部と対向する位置に配置される。
【００５４】
この状態で、第１電装箱５１を図７（ａ）及び図７（ｂ）の白抜き矢印方向に押し込むと、第１電装箱５１の摺動部材５７が第２電装箱５２のガイド部材５９を端部５９ａ側へ摺動する。その結果、図６（ａ）及び図６（ｂ）に示すように、係合突起５５と係合溝６１とが係合すると共に、コネクタ２７ａが作像駆動ユニット２３ａ〜２３ｄと接続される。その後、電装箱固定部材８７により第１電装箱５１を背面側板２１に固定することができる。
【００５５】
次に電装箱固定部材８７による電装箱５０と背面側板２１との固定方法について説明する。図４に示すように、第１電装箱５１には上記した電装箱固定部材８７が設けられており、第１電装箱５１及び第２電装箱５２を閉じた後、電装箱固定部材８７により第１電装箱５１が背面側板２１と固定されるようになっている。図８（ａ）に電装箱固定部材により第１電装箱の背面側板に対する固定を解除したときの、図８（ｂ）に第１電装箱を背面側板に対して固定したときの、電装箱固定部材周辺の拡大斜視図を示す。図８（ａ）及び図８（ｂ）に示すように、第１電装箱５１の底面部５１ａ（図４参照）の上端部における右側側面部５１ｅ側に、折り曲がった矩形板状部材からなる電装箱固定部材８７が設けられている。
【００５６】
電装箱固定部材８７は、第１電装箱５１の底面部５１ａ（図４参照）に沿って設けられた支持部８７ａと、支持部８７ａの上端から背面側板２１側に向かって略水平に突設された固定部８７ｂと、固定部８７ｂの背面側板２１側端部から略垂直に上方に向かって立設され、且つその先端が背面側板２１側に突出する略Ｌ字状の引っ掛け部（第２係合部）８７ｃと、から構成されている。
【００５７】
支持部８７ａの下端部には、取手（取手部）８８が背面側板２１とは反対側に向かって突設されており、取手８８の左側端部上側には垂直方向に沿って、背面側板２１に設けられたガイド用突起７５と係合して電装箱固定部材８７を保持すると共に垂直方向の移動をガイドする案内溝８９が設けられている。また、支持部８７ａの上端部側には、後述する背面カバー９８（カバー部材、図９参照）に設けられた突出片（カバー部材ロック機構）９８ａ（図９参照）と係合可能な切り抜き孔（カバー部材ロック機構）９０が設けられている。
【００５８】
また、固定部８７ｂの引っ掛け部８７ｃ側の端部には、幅方向に沿って第２固定用部材９１が配設されている。第２固定用部材９１は、幅方向中央部に設けられた第２接続部９１ａと、両端部に設けられたビス９１ｂとから構成されている。また、引っ掛け部８７ｃの先端部の幅方向両端部の下面には、それぞれ背面側板２１に設けられた貫通孔（第１係合部）７７に嵌合可能な突出片９３が設けられている。また、第２接続部９１ａには、高圧ユニット２５ｂ〜２５ｄからの配線２７ｂと、電源基板３１ａからの配線２７ｂと、が接続されている（図２、図３参照）。
【００５９】
一方、第１電装箱５１を背面側板２１側に摺動したとき（図６参照）、背面側板２１の第１固定用部材９１と下方から対向する位置には、第２固定用部材９１と接続される第１固定用部材７６が設けられている。第１固定用部材７６は、第２固定用部材９１の第２接続部９１ａが嵌め込まれる第１接続部７６ａと、ビス９１ｂが固定されるビス孔７６ｂとから構成されている。第１接続部７６ａには、作像駆動ユニット２３ｂ〜２３ｄからの配線２７ｂが電気的に接続されている（図３参照）。
【００６０】
これにより、前述したように第１電装箱５１及び第２電装箱５２を閉じ（図６参照）、第１電装箱５１の係合突起５５を背面側板２１の係合溝６１に係合させた後、取手８８を掴んで電装箱固定部材８７を下げると、引っ掛け部８７ｃの突出片９３が背面側板２１の貫通孔７７と嵌合すると共に固定部８７ｂの第２接続部９１ａが第１接続部７６ａと嵌合し、第２接続部９１ａと第１接続部７６ａとが電気的に接続する。また、第１電装箱５１が背面側板２１に固定される。
【００６１】
その後、固定部８７ｂのビス９１ｂをビス孔７６ｂに固定することにより、第１電装箱５１をより確実に固定することができる。なお、第１接続部７６ａと第２接続部９１ａとが連結していればよく、ビス９１ｂ及びビス孔７６ｂは必須ではない。また、ビス９１ｂ及びビス孔７６ａ以外の固定部材を適宜用いても良い。
【００６２】
なお、作像ユニット２３ａと高圧ユニット２５ａ及び制御基板３１ｂとは、窓部２８を貫通する配線２７ｂにより電気的に接続されている。また、かかる配線２７ｂは、第１固定用部材７６の第１接続部７６ａと電装箱固定部材８７の第２接続部９１ａとが電気的に接続されなければ通電されないようになっている。また、かかる配線２７ｂは、第１電装箱５１及び第２電装箱５２と共に連れ回って開閉可能であり、電装箱５０の開閉時に接続及び取り外される必要がない。
【００６３】
ここでは、作像ユニット２３ａと高圧基板２７ａ及び制御基板３１ｂとの配線２７ｂを、電装箱固定部材８７及び第１固定用部材７６を介さずに接続したが、作像ユニット２３ａ〜２３ｄと電装基板との電気的な接続は、電装箱固定部材８７と第１固定部材７６との連結によってのみ行うこともできるし、他の接続方法を併用することもでき、特に限定されない。また、併用する方法は、電装箱固定部材８７により背面側板２１と電装箱５１に配設された少なくともいずれか一つの電装基板とを電気的に接続可能であり、且つ背面側板２１と電装箱５１とを固定可能であればよく、特に限定されるものではない。なお、前述の図１４、図１５に示したコネクタ２７ａを併用することもできる。
【００６４】
また、図９は、背面カバーと第１電装箱との係合状態を示す図であり、図９（ａ）は、背面カバーを開けた状態を示す部分斜視図であり、図９（ｂ）、は背面カバーを閉めた状態を示す斜視図である。図２〜図８と共通する部分には共通する符号を付して説明を省略する。
【００６５】
背面カバー９８は、第１電装箱５１及び第２電装箱５２側に開口部を有する平たい箱状部材から成り、背面側板２１の左側側面部に回動可能に連結されている。背面カバー９８は、これを閉じたとき第１電装箱５１及び第２電装箱５２の開口部を覆うことができるよう形成されている。また、背面カバー９８の上側側面部における電装箱固定部材８７の支持部８７ａの切り抜き孔９０と対向する位置には、切り抜き孔９０に嵌め込まれる突出片９８ａが設けられている。
【００６６】
これにより、上記のようにして第１電装箱５１を背面側板２１に固定した後、第１突出片９８ａと切り抜き孔９０とを係合させると、背面カバー９８を閉じることができる。なお、背面カバー９８と背面側板２１との連結方法は、前述の背面側板２１と第２電装箱５２との連結方法のように、一方にピン、他方に係合孔を有するヒンジ部をそれぞれに設けて連結する方法を用いることができる。なお、背面カバー９８の開閉方向はここでは第１電装箱５１及び第２電装箱５２と同じ方向としたが、かかる開閉方向は特に限定されるものではなく、背面側板２１の右側面や上下側面に回動支点を設けて開閉することもできる。
【００６７】
上記の通り、作像駆動ユニット２３ｂ〜２３ｄを第１固定用部材７６の第１接続部７６ａと配線２７ｂにより電気的に接続し、電装箱５０（第１電装箱５１及び第２電装箱５２）に配設された高圧基板２５ｂ〜２５ｄ、電源基板３１ａを、電装箱固定部材８７の第２固定用部材９１の第２接続部９１ａと配線２７ｂにより電気的に接続することにより、電装箱固定用部材８７を下方に摺動し、第１固定用部材７６と連結するだけで、背面側板２１と電装箱５０とを固定すると共に、作像駆動ユニット２３ｂ〜２３ｄと、高圧基板２５ｂ〜２５ｄ及び電源基板３１ａと、を電気的に接続することができる。
【００６８】
従って、配線２７ｂを短くすることができ、配線２７ｂ間の干渉を防止し、かかる干渉によって生じる、誤動作や、電磁ノイズの発生を防止することができる。また断線を防止することができ、断線を回避するための部材構成や配置構成が不要となり、装置が複雑化を防止し、コストアップを抑えることもできる。さらに、作業の容易化や作業時間の短縮等、作業性を高めることができる。また、定期又は不定期に行うメンテナンス等において、上記のような作業性の低下や誤接続や配線不良を防止することもでき、安全となる。
【００６９】
また、上記実施形態では、第１電装箱５１及び第２電装箱５２を片側支点として開閉可能とすると共に、電装箱固定部材８７と第１固定用部材７６との固定及び固定解除により第１電装箱５１及び第２電装箱５２の開閉をロック及びロック解除したため、電装箱固定部材８７を上下に移動させるだけで、作像ユニット２３ｂ〜２３ｄと電装基板とを電気的に接続及び取り外し可能となる。
【００７０】
これにより、第１電装箱５１及び第２電装箱５２の固定を解除しなければ作像ユニット２３ｂ〜２３ｄと上記電装部材とが電気的に接続されず、両者が連結された状態で第１電装箱５１及び第２電装箱５２が開放することを防止することができる。加えて、上記電気的接続が外されないと第１電装箱５１及び第２電装箱５２を開けることができないため、より安全となる。
【００７１】
しかし、かかる開閉ロックの方法は、本実施形態に特に限定されるものではなく、その他、別途ビス留めを行う等適宜設定することができる。また、上記したような第１電装箱５１に設けた係合突起５５と背面側板２１に設けた係合溝６１とを用いることもできる。なお、本実施形態では、電装箱固定部材８７を用いた開閉ロックに加え、かかる係合突起５５を用いた開閉ロックを行うことにより、二重にロックされている。
【００７２】
これにより、電装箱固定部材８７の連結の解除により電気的接続を解除した後、第１電装箱５１を背面側に摺動させなければ第１電装箱５１及び第２電装箱５２を開けることができないため、より確実に電気的接続を取り外し後、第１電装箱５１及び第２電装箱５２を開けることができ、さらに安全となる。なお、係合突起５５及び係合溝６１の配置は上記実施形態に限定されるものではなく、適宜設定することができる。
【００７３】
また、本実施形態では、電装箱固定部材８７を、第１電装箱５１に、背面側板２１の第１固定用部材７６と連結及び連結解除される位置に摺動可能に支持したため、電装箱固定部材８７を背面側から上下に摺動させるだけで、簡単に第１電装箱５１と背面側板２１との固定及び固定解除と、作像ユニット２３ｂ〜２３ｄと上記電装基板との電気的な接続及び取り外しと、が可能になる。従って、簡単な構成で簡便に電装箱固定用部材８７の第２固定用部材と背面側板２１の第１固定用部材とを連結及び連結解除することができる。
【００７４】
しかし、第１電装箱５１と背面側板２１との固定方法は、本実施形態に特に限定されるものではなく、装置構成に応じて背面側板２１に電装箱固定用部材８７を設け、第１電装箱５１に第２固定用部材７６を設けることも可能である。また、電装箱固定部材８７の移動方法も摺動に特に限られるものではなく、装置構成等に応じて適宜設定することができる。
【００７５】
また、本実施形態では、電装箱固定部材８７に、背面側板２１に設けられた貫通孔７７と係合する引っ掛け部９３を設けたため、背面側板２１の第１固定用部材７６、及び電装箱固定部材８７の第２固定用部材９１が連結されたとき、これらのガタツキを防止し、簡単な構成で、より確実に電装箱固定部材８７と第１固定用部材とを連結することができる。また、両者が外れることをより防止することができるため、連結が安定なものとなる。
【００７６】
しかし、両者の係合方法は本実施形態に特に限定されるものではなく、適宜設定することができ、例えば、背面側板に引っ掛け部９３を設け、電装箱固定用部材８７に貫通孔７７を設けることもできる。また、本実施形態では、電装箱固定部材８７に取手８８を設けたため、容易に電装箱固定部材８７を摺動させることができる。しかし、取手８８の配設位置や形状、数量等は本実施形態に特に限定されるものではなく、装置構成等に応じて適宜設定することができる。
【００７７】
また、本実施形態では、第１電装箱５１及び第２電装箱５２と同方向に開閉可能であり、これら電装箱を覆う背面カバー９８を設けると共に、電装箱固定部材８７に背面カバー９８に設けられた突起片９８ａを係合可能な切り抜き穴９０を設けたため、簡単な構成で、作像駆動ユニット２３ｂ〜２３ｄが確実に電気的接続された後にのみ電装基板支持部材をカバーすることができ、接続不良による誤作動を防止することができる。しかし、背面カバーの開閉ロック機構は本実施形態に特に限定されるものではない。
【００７８】
また、ここでは電装箱５０を第１電装箱５１と第２電装箱５２とから構成したが、電装箱５０は３つ以上の電装箱から構成することもできる。また、ここでは第１電装箱５１を摺動させることにより、電装箱固定部材８７の近傍のみを背面側板２１に接近させることが可能となるが、このような構成は、装置構成等に応じて適宜設定することができる。例えば、電装箱５０を一つとし、これに高圧基板２５ａ〜２５ｄ、電源基板３１ａ及び制御基板３１ｂを配設することもできる。
【００７９】
また、上記実施形態では、作像ユニット２３ｂ〜２３ｄと第１固定用部材７６とを配線２７ｂにより電気的に接続したため、上記配線２７ｂの配置や配線不良等によって生じる誤作動や不具合を防止した画像形成を行うことが可能となる。しかし、第１固定用部材７６と電気的に接続される構成部材は、画像形成に用いられるものであれば、特に限定されるものではない。また、電装箱固定部材８７に電気的に接続された電装基板も、上記実施形態で用いたものに特に限定されるものではない。なお、本発明に係る構成部材には、電気回路が形成された電装基板も含まれるものとする。
【００８０】
また、上記実施形態で示した配線２７ｂの配置は一例に過ぎず、作像駆動ユニット２３ａを第１固定用部材７６の第１接続部７６ａに、高圧基板２５ａや制御基板３２ｂを第２固定用部材９１の第２接続部９１ａに電気的に接続することもでき、その他装置構成等に応じて適宜設定することができる。
【００８１】
図１０は、本実施形態の画像形成装置に用いられる他の電装箱を示す装置本体背面側から見た斜視図である。図２〜図８と共通する部分には共通する符号を付して説明を省略する。開閉可能に背面側板２１に軸支された電装箱５０には、高圧ユニット２５ａ〜２５ｄ、電源基板３１ａ及び制御基板３１ｂが配設されている。
【００８２】
また、作像ユニット２３ｂ〜２３ｄは配線２７ｂにより第１固定用部材７６の第１接続部７６ａと電気的に接続され、高圧基板２５ｂ〜２５ｄ及び電源基板３１ａは配線２７ｂにより電装箱固定用部材８７の第２接続部９１ａと電気的に接続されている。そして、電装箱５０を閉じ、電装箱固定用部材８７を下げて第２固定用部材９１を背面側板２１の第１固定用部材７６と連結することにより、電装箱５０を背面側板２１に固定すると共に、作像駆動ユニット２３ｂ〜２３ｄと高圧ユニット２５ｂ〜２５ｄ、及び電源基板３１ａとを電気的に接続することができる。また、電装箱５０の開閉をロックすることができる。
【００８３】
一方、電装箱５０を開けるときは、電装箱固定部材８７を上げて第２固定用部材９１と第１固定用部材７６との連結を解除することにより、電装箱５０と背面側板２１との固定を解除すると共に、作像駆動ユニット２３ｂ〜２３ｄと高圧ユニット２５ｂ〜２５ｄ、電源基板３１ａとの電気的接続を解除し、これらを取り外すことができる。また、電装箱５０の開閉ロックを解除することができる。
【００８４】
これにより、電装箱固定部材８７と第１固定用部材７６との連結及び連結解除を行うことにより電装箱５０の開閉をロックすると共に、作像ユニット２３ｂ〜２３ｄと上記電装基板との電気的な接続及び取り外しを行うことができる。この他、背面カバー９８を設ける等の構成は上記実施形態と同様であるため説明を省略する。
【００８５】
その他、本発明は上記実施形態に限定されず、本発明の趣旨を逸脱しない範囲で種々の変更が可能である。例えば、上記実施形態では、電装箱固定部材８７を第１電装箱５１及び電装箱５０の上側面に一つ設けたが、右側面にも上下側面にも設けることができ、その数量も２つ以上設けることもできる。
【００８６】
また、上記実施形態では、装置背面左側を回動支点として第１電装箱５１及び第２電装箱５２、及び電装箱５０を水平方向に開閉可能としたが、かかる回動支点は特に限定されるものではなく、装置背面右側に設けてもよく、その他、上側若しくは下側に設け上下方向に開閉可能とすることも可能である。なお、上下方向に開閉可能とするときには、開けた状態のとき適宜支持部材等を用い、これら電装箱が開き過ぎないよう、若しくは閉じないよう支持することにより、作業性の向上を図ることもできる。
【００８７】
また、本発明の画像形成装置として、ここでは直接転写方式のタンデム型画像形成装置についてのみ示したが、その他、中間転写方式のタンデム型画像形成装置や、モノクロ画像形成装置、複写機やプリンタ等の他のタイプの画像形成装置にも適用できる。
【産業上の利用可能性】
【００８８】
本発明は、構成部材が作動することにより画像形成を行う画像形成装置において、前記構成部材が配設された構成部材支持部材と、前記構成部材と電気的に接続される電装基板と、前記電装基板が配設された電装基板支持部材と、前記構成部材支持部材に配設され、前記構成部材と電気的に接続された第１固定手段と、前記電装基板支持部材に配設され、前記電装基板と電気的に接続されており、前記第１固定手段と連結可能な第２固定手段と、が設けられ、前記第１及び第２固定手段の一方は、前記構成部材支持部材若しくは前記電装基板支持部材に、他方に対して連結する位置と連結解除する位置とに移動可能に支持されており、前記第１及び第２固定手段が連結されることにより、前記構成部材支持部材と前記電装基板支持部材とが固定されると共に、前記第１固定手段と前記第２固定手段とが電気的に接続されるものである。
【００８９】
これにより、第１固定手段と第２固定手段とを連結するだけで、構成部材と電装基板支持部材とを固定すると共に、構成部材と電装基板とを電気的に接続することができる。従って、構成部材と電装部材とを電気的に接続する配線間の干渉を防止し、かかる干渉による不具合を防止することができる。また、配線の配置や接続の複雑化を回避できるため、装置の複雑化を防止すると共に、作業の容易化や作業時間の短縮等、作業性を高めることができる。
【００９０】
また、電装基板支持部材の一端を装置本体に開閉可能に軸支し、第１及び第２固定手段が、電装基板支持部材の開閉をロック及びロック解除する開閉ロック機構として機能することにより、第１固定手段と第２固定手段との連結及び連結解除を行うだけで、上記電気的に接続及び取り外しと、電装基板支持部材の開閉ロック及びロック解除と、が可能となり、安全となる。
【００９１】
また、第２固定手段を、電装基板支持部材に、第１固定手段と連結及び連結解除される位置に摺動可能に支持することにより、第２固定手段を摺動させるだけで構成部材と電装基板との電気的な接続が可能になるため、簡単な構成で簡便に第１固定手段と第２固定手段とを連結することができる。
【００９２】
また、第２固定手段に、前記構成部材支持部材に設けられた第１係合部と係合する第２係合部を設けることにより、連結された第１及び第２固定手段のガタツキを防止し、より確実に安定して第１固定手段と第２固定手段とを連結することができる。また、第２固定手段に取手部を設けることにより、容易に第２固定手段を移動させることができる。
【００９３】
また、電装基板支持部材を覆うものであり、一端が装置本体に開閉可能に軸支されたカバー部材を設け、第２固定手段及びカバー部材に、第２固定手段が第１固定手段に連結されたときカバー部材の開閉をロックするカバー部材開閉ロック機構を設けることにより、構成部材と電装基板とが確実に電気的接続された後にのみ電装基板支持部材をカバーすることができるため、接続不良による誤作動を防止することができる。また、構成部材を画像形成部とすることにより、配線の配置や配線不良による誤作動や不具合を防止した画像形成を行うことができる。
【図面の簡単な説明】
【００９４】
【図１】は、本発明の一例である画像形成装置の全体構成を示す概略図である。
【図２】は、本実施形態の画像形成装置に用いられる電装箱を示す装置本体背面側から見た平面図である。
【図３】は、背面側板及び電装箱における配線の配置状態を示す平面図である。
【図４】は、図２において配線の表示を省略した図である。
【図５】は、第１電装箱と第２電装箱との係合部分を示す図であって、図５（ａ）は、部分平面図であり、図５（ｂ）は、図５（ａ）の左側から見た部分側面図である。
【図６】は、第１電装箱と背面側板とが係合している状態を示す図であって、図６（ａ）は、部分側面図であり、図６（ｂ）は、図６（ａ）を上方から見た平面図である。
【図７】は、第１電装箱と背面側板との係合が解除された状態を示す図であって、図７（ａ）は、部分側面図であり、図７（ｂ）は、図７（ａ）を上方から見た平面図である。
【図８】は、第１電装箱の背面側板に対する固定方法を示す図であり、図８（ａ）は、第１電装箱の固定が解除された状態を示す斜視図であり、図８（ｂ）は、第１電装箱が固定された状態を示す斜視図である。
【図９】は、背面カバーを示す図であり、図９（ａ）は背面カバーを開けた状態を示す斜視図であり、図９（ｂ）は背面カバーを閉めた状態を示す斜視図である。
【図１０】は、本実施形態の画像形成装置に用いられる他の電装箱を示す装置本体背面側から見た斜視図である。
【図１１】は、従来の画像形成装置の背面側に配設された作像駆動ユニット、高圧基板や電装箱周辺を示す斜視図である。
【図１２】は、電装箱と背面側板との連結状態を示す平面図である。
【図１３】は、電装箱が開いた状態を示す斜視図である。
【図１４】は、作像駆動ユニット、高圧基板や電装箱の配設状態を示す側面図である。
【図１５】は、作像駆動ユニット、高圧基板や電装箱の配設順序を示す側面図である。
【図１６】は、作像駆動ユニット、高圧基板や電装箱の配線状態を示す斜視図である。
【図１７】は、作像駆動ユニット、高圧基板や電装箱の配線状態を示す平面図である。
【符号の説明】
【００９５】
１ａ〜１ｄ      感光体ドラム
３ａ〜３ｄ      現像ユニット
２０              前面側板
２１              背面側板
２３ａ〜２３ｄ    作像駆動ユニット（構成部材）
２５ａ〜２５ｄ    高圧基板（電装基板）
２７ｂ            配線
３１ａ            電源用基板（電装基板）
３１ｂ            制御基板（電装基板）
３３              電装箱
３４              第１ヒンジ部
３５              第２ヒンジ部
５０              電装箱（電装基板支持部材）
５１              第１電装箱
５２              第２電装箱
５５              係合突起
５７              摺動部材
５９              ガイド部材
６１              係合溝
７６              第１固定用部材（第１固定手段）
７６ａ            第１接続部
７７              貫通孔（第１係合部）
８７              電装箱固定部材（第２固定手段）
８８              取手（取手部）
９０              切り抜き孔（カバー部材開閉ロック機構）
９１              第２固定用部材
９１ａ            第２接続部
９３              引っ掛け部（第２係合部）
９８              背面カバー
９８ａ            突出片（カバー部材開閉ロック機構）
１００              画像形成装置
Ｐａ〜Ｐｄ          画像形成部
【図１】
2009139514.tif 000003
【図２】
2009139514.tif 000004
【図３】
2009139514.tif 000005
【図４】
2009139514.tif 000006
【図５】
2009139514.tif 000007
【図６】
2009139514.tif 000008
【図７】
2009139514.tif 000009
【図８】
2009139514.tif 000010
【図９】
2009139514.tif 000011
【図１０】
2009139514.tif 000012
【図１１】
2009139514.tif 000013
【図１２】
2009139514.tif 000014
【図１３】
2009139514.tif 000015
【図１４】
2009139514.tif 000016
【図１５】
2009139514.tif 000017
【図１６】
2009139514.tif 000018
【図１７】
2009139514.tif 000019